(57)【要約】      （修正有）【課題】ハードディスクへのウイルスの感染を回避できる、ネットワークスイッチを有したマルチブートシステム用装置を提供する。【解決手段】ネットワークスイッチを具備するマルチブートシステム用装置は、箱体１０と、選択モジュール２０と、ブリッジ接続カードとを具備する。箱体は、複数のスイッチを取り付けた操作パネル１３を有する。選択モジュールは、箱体内に取り付けられ、ハードディスクセレクタとネットワークセレクタとを具備する。ハードディスクセレクタ２２は、電力入力ポート２２２と、スイッチの一部を介して電力入力ポートに接続される複数の電力出力ポート２２１とを具備する。ネットワークセレクタは、ネットワーク入力ポート２３１と、他のスイッチを介してネットワーク入力ポートに接続されるネットワーク出力ポート２３２とを具備し、ネットワークケーブルに接続される。ブリッジ接続カードは箱体の外部に取り付けられる。複数のスイッチは複数の組合せを形成することができる。【選択図】図１
0003175049.tif 000002
【実用新案登録請求の範囲】
【請求項１】
１）複数のスイッチを取り付けた操作パネルを有する箱体と、
２）i) 前記箱体内に取り付けられる基板と、
ii) 前記基板上に取り付けられ、前記スイッチに電気的に接続されると共に、電源に接続可能に設けられる電力入力ポートと、前記スイッチの一部を介して前記電力入力ポートに接続される複数の電力出力ポートと、前記電力出力ポートにそれぞれ接続されかつハードディスクにそれぞれ接続可能に設けられる複数のプラグと、を具備するハードディスクセレクタと、
iii) 前記基板に取り付けられ、前記他のスイッチに電気的に接続されると共に、ネットワーク入力ポートと、前記他のスイッチを介して前記ネットワーク入力ポートに接続されると共に、ネットワークケーブルを介してホストのネットワークコネクタに接続可能に設けられるネットワーク出力ポートと、を有するネットワークセレクタと、を具備する選択モジュールと、
３）前記箱体の外部に取り付けられるブリッジ接続カードであって、i) 前記ネットワークセレクタの前記ネットワーク入力ポートに電気的に接続されると共にインターネットに接続可能に設けられるネットワークコネクタと、ii) 前記ネットワークケーブルに前記ブリッジ接続カードを通過させ前記ネットワーク出力ポートに接続させる穴と、を具備する前記ブリッジ接続カードと、を具備することを特徴とするネットワークスイッチを具備するマルチブートシステム用装置。
【請求項２】
前記スイッチへの接触を防止するため、前記操作パネルの前方に設けられる遮蔽体を更に具備することを特徴とする請求項１記載のマルチブートシステム用装置。
【請求項３】
前記ハードディスクセレクタは、前記電力入力ポートと、第１電力出力ポートと、第２電力出力ポートとを具備し、
前記操作パネルの前記スイッチは、
前記電力入力ポートと前記第１電力出力ポートとの間に電気的に接続される第１ハードディスクスイッチと、
前記電力入力ポートと前記第２電力出力ポートとの間に電気的に接続される第２ハードディスクスイッチと、
前記ネットワークセレクタの前記ネットワーク入力ポートと前記ネットワーク出力ポートとの間に電気的に接続される第１ネットワークスイッチと、
第２ネットワークスイッチと、
前記第２ネットワークスイッチに直列に接続される第３ネットワークスイッチであって、前記第２ネットワークスイッチと前記第３ネットワークスイッチは前記ネットワークセレクタの前記ネットワーク入力ポートと前記ネットワーク出力ポートとの間に電気的に接続される前記第３ネットワークスイッチと、を具備することを特徴とする請求項２記載のマルチブートシステム用装置。
【請求項４】
前記第２ハードディスクスイッチと第３ハードディスクスイッチは同期して作動する一対のスイッチを形成することを特徴とする請求項３記載のマルチブートシステム用装置。
【請求項５】
前記ハードディスクセレクタは、前記電力入力ポートと、第１電力出力ポートと、第２電力出力ポートと、第３電力出力ポートと、第４電力出力ポートとを具備し、
前記操作パネルの前記スイッチは、
前記電力入力ポートと、前記第１電力出力ポートと、前記第２電力出力ポートの間に電気的に接続される第１ハードディスクスイッチと、
前記電力入力ポートと、前記第３電力出力ポートと、前記第４電力出力ポートとの間に電気的に接続される第２ハードディスクスイッチと、
前記第１ハードディスクスイッチと、前記第１電力出力ポートとの間に電気的に接続される第３ハードディスクスイッチと、
前記第１ハードディスクスイッチと、前記第２電力出力ポートとの間に電気的に接続される第４ハードディスクスイッチと、
前記第２ハードディスクスイッチと、前記第３電力出力ポートとの間に電気的に接続される第５ハードディスクスイッチと、
前記第２ハードディスクスイッチと、前記第４電力出力ポートとの間に電気的に接続される第６ハードディスクスイッチと、
前記ネットワークセレクタの前記ネットワーク入力ポートと前記ネットワーク出力ポートとの間に電気的に接続される第１ネットワークスイッチと、
第２ネットワークスイッチと、
前記第２ネットワークスイッチに直列に接続される第３ネットワークスイッチであって、前記第２ネットワークスイッチと前記第３ネットワークスイッチは前記ネットワークセレクタの前記ネットワーク入力ポートと前記ネットワーク出力ポートとの間に電気的に接続される前記第３ネットワークスイッチと、を具備することを特徴とする請求項２記載のマルチブートシステム用装置。
【請求項６】
遮蔽体が前記操作パネルの前方に、前記操作パネルから離隔された状態で設けられ、前記操作パネルの前記スイッチにそれぞれに対応する複数の穴を有することを特徴とする請求項２記載のマルチブートシステム用装置。
【考案の詳細な説明】
【技術分野】
【０００１】
本発明は、マルチブートシステム用装置、特に、ネットワークスイッチを具備するマルチブートシステム用装置に関する。
【背景技術】
【０００２】
図９及び図１０を参照して説明すると、パーソナルコンピュータ（ＰＣ）のホスト６０が図示されている。ホスト６０は、主に、ケース６１と、電力供給源６２と、マザーボード６３と、少なくとも１つのハードディスク６４とを具備する。
【０００３】
電力供給源６２、マザーボード６３及びハードディスク６４は、ケース６１内に設けられている。電力供給源６２はマザーボード６３及びハードディスク６４に電気的に接続され、動作電圧をこれらに供給する。マザーボード６３はハードディスク６４に電気的に接続され、ネットワークポート６３０を有する。ネットワークポート６３０は、インターネットに接続するためのネットワークケーブル６５を接続するために設けられる。
【０００４】
オペレーティングシステム（ＯＳ）は、コンピュータのハードウェア資源を管理し、アプリケーションソフトウエアに共通して用いられる一連のプログラムである。コンピュータ技術の進歩により、Windows （登録商標）XP, Windows （登録商標）7, Macintoshなどの異なるオペレーティングシステムが開発されている。オペレーティングシステムは、マスターハードディスクにインストールされている。マスターハードディスクにインストールされているオペレーティングシステムは、起動することができる。
【０００５】
しかし、全ての使用者が１つのオペレーティングシステムに満足するわけではない。必要に応じて、同じマスターハードディスク内に複数のオペレーティングシステムをインストールしたい使用者も考えられる。複数のオペレーティングシステムがマスターハードディスクに備えられているが、ホストを起動する時に、複数のオペレーティングシステムのうち、１つのオペレーティングシステムしか同時に選択されない。
【０００６】
従来のオペレーティングシステムから１つのオペレーティングシステムの選択する方法として、ＢＩＯＳもしくはＢｏｏｔＣａｍｐの構築がある。しかし、ＢＩＯＳもしくはＢｏｏｔＣａｍｐの構築は一般の使用者が操作するには複雑すぎ、作動させることができない。この問題を解決する他の方法として、複数のリムーバブルハードディスクの使用がある。リムーバブルハードディスクは外部ハードディスクケースに設けられ、マザーボードと電気的に接続される。従って、使用者は、自ら選択した外部ハードディスクケースに設けられている特定のオペレーティングシステムを起動することができる。
【０００７】
さらに、複数のハードディスクを備えたコンピュータをインターネットに接続する場合に、ウイルスに感染する危険性が出てくる。使用者は、インターネットに接続するため、外部ハードディスクの元（第１）マスターハードディスクを、他の（第２）マスターハードディスクと取り替えることができる。この取り替えによって、外部ハードディスクケースから取り外された元マスターハードディスクへのウイルスの感染を回避できる。しかし、インターネットから遮断されるはずだったマスターハードディスクを取り外すのを使用者が忘れた場合は、そのマスターハードディスクは危険に曝されることになる。
【先行技術文献】
【特許文献】
【０００８】
【特許文献１】特許公表２０１０−５４１４２６号公報
【考案の概要】
【０００９】
上記したリムーバブルハードディスクモジュールの使用が有する不利益とウイルス感染の危険性に鑑み、本発明は、上記した問題を解決することができるネットワークスイッチを具備するマルチブートシステム用装置を提供することを目的とする。
上記した目的を達成するために、本発明に係るネットワークスイッチを具備するマルチブートシステム用装置は、箱体と、選択モジュールと、ブリッジ接続カードとを具備する。
【００１０】
箱体は、複数のスイッチを取り付けた操作パネルを有する。
選択モジュールは、箱体内に取り付けられる基板と、基板上に取り付けられスイッチに電気的に接続されるハードディスクセレクタと、基板に取り付けられ、スイッチに電気的に接続されるネットワークセレクタとを具備する。ハードディスクセレクタは、電力入力ポートと、複数の電力出力ポートと、電力出力ポートにそれぞれ接続される複数のプラグとを具備する。電力入力ポートは電源に接続可能に設けられる。複数の電力出力ポートはスイッチの一部を介して電力入力ポートに接続されかつハードディスクにそれぞれ接続可能に設けられる。ネットワークセレクタは、ネットワーク入力ポートとネットワーク出力ポートとを具備する。ネットワーク出力ポートは、他のスイッチを介して前記ネットワーク入力ポートに接続されると共に、ネットワークケーブルを介してホストのネットワークコネクタに接続可能に設けられる。
【００１１】
ブリッジ接続カードは箱体の外部に取り付けられ、ネットワークコネクタと穴とを有する。ネットワークコネクタはネットワークセレクタのネットワーク入力ポートに電気的に接続されると共にインターネットに接続可能に設けられる。穴を通して、ネットワークケーブルがブリッジ接続カードを通過して前記ネットワーク出力ポートに接続される。
【００１２】
電力入力ポートは、動作電圧を得るために電源への接続を目的として設けられる。電力出力ポートは、複数のハードディスクにそれぞれ接続され、ハードディスクに動作電圧を供給する。複数のスイッチは複数の組合せが可能である。１つの組合せは、１つの対応するハードディスクのオペレーティングシステムを起動させる。上記したオペレーティングシステムを起動させる方法は、ＢＩＯＳもしくはＢｏｏｔＣａｍｐのようなファームウエアを認識する。本発明に係るオペレーティングシステムを起動する方法は、スイッチ等のハードウエアを作動することにある。使用者にとって、スイッチ等を操作した方がファームウエアを認識するよりはるかに容易である。
【００１３】
さらに、ネットワーク入力ポートがネットワークセレクタのネットワーク出力ポートに接続されるまでは、ハードディスクはインターネットに接続できない。従って、使用者はより注意を払いながらスイッチを操作することになる。誤って或るハードディスクがインターネットに接続されるといった誤動作を効果的に防止することができる。
【００１４】
即ち、本発明は以下の３つの技術的特徴を有する。
１．この装置を用いてマルチブートシステムによる起動を可能とするに際して、単一のハードディスクドライヴに取り付けられた各コードに接続される単一の電源コードが用いられる。さらに、スイッチは、選択されたハードディスクドライヴのみに電力が供給されるように設計されている。
２．遮蔽構造は、選択されていないハードディスクがオン又はオフされるのを防止できるように設計されている。
３．機密保持の観点から、複数のスイッチを有するネットワークシステムは、選択されたハードディスク装置に接続する場合にのみ信号を制御するように設定されている。
【００１５】
さらに、機密保持の観点から、上記した技術的特徴１は、ラップトップコンピュータ、デスクトップコンピュータや、又は、２つのハードディスクを有する全てのネットワーク接続装置分野に適用できる。従って、ラップトップ上で選択されたハードディスクのみに電源を供給して作動させることができる。
【図面の簡単な説明】
【００１６】
【図１】第１実施例の展開斜視図である。
【図２】第１実施例の斜視図である。
【図３】ホストに挿入された箱体の作動図である
【図４】本発明の装置が備えられたホストの斜視図である。
【図５】第１実施例の選択モジュールの回路図である。
【図６】第２実施例の斜視図である。
【図７】第２実施例の選択モジュールの回路図である。
【図８】遮蔽体を備えた第２実施例の斜視図である。
【図９】従来のホストの斜視図である。
【図１０】従来のホストの内部空間を示す他の斜視図である。
【考案を実施するための形態】
【００１７】
図１および図２を参照して説明すると、同図に本発明の第１実施例が示されている。第１実施例においては、箱体１０、選択モジュール２０及びブリッジ接続カード３０について説明する。
【００１８】
箱体１０は、平板１１と、２つの側壁１２と、操作パネル１３とを有する。平板１１は２つの対向する端と、前側とを有する。２つの側壁１２は、平板１１の２つの端にそれぞれ設けられている。操作パネル１３は平板１１の前側に設けられている。複数のスイッチ１４が、操作パネル１３に取り付けられている。スイッチ１４は、ジャンプスイッチ、ディップスイッチ、トグルスイッチ、プッシュボタンスイッチ等である。
【００１９】
箱体１０は、更に、操作パネル１３の前方に操作パネル１３から離間した状態で配置された遮蔽体１５を具備する。遮蔽体１５には、スイッチ１４にそれぞれ対応する複数の穴１５０が設けられている。
【００２０】
さらに図３及び図４を参照して説明すると、取外可能なカバー４２は、ホスト４０から取外すことができ、これによって、ソケット４１が露出する。箱体１０は、ホスト４０のソケット４１に挿入される。箱体１０の側壁１２には、箱体１０をソケット４１に固着させるため複数の係止穴１２０が設けられている。
【００２１】
選択モジュール２０は、基板２１と、ハードディスクセレクタ２２と、ネットワークセレクタ２３とを有する。基板２１は、操作パネル１３の後方で、平板１１に取り付けられる。ハードディスクセレクタ２２とネットワークセレクタ２３は、基板２１に取り付けられている。ハードディスクセレクタ２２はスイッチ１４の一部に電気的に接続され、複数の電力出力ポート２２１と、電力入力ポート２２２と、複数のプラグ２２３とを有する。プラグ２２３はそれぞれ、ケーブル２２４を介して電力出力ポート２２１に接続されている。複数の電力出力ポート２２１は、スイッチ１４の一部を介して電力入力ポート２２２に接続されている。ネットワークセレクタ２３は他のスイッチ１４に電気的に接続され、ネットワーク入力ポート２３１と、ネットワーク出力ポート２３２とを有する。ネットワーク入力ポート２３１は、インターネットに接続するためのネットワークケーブル２３３を接続するために設けられる。ネットワーク出力ポート２３２は、他のスイッチ１４を介してネットワーク入力ポート２３１と接続され、ホスト４０のネットワークコネクタ４３と接続するために設けられる。
【００２２】
図４を参照して説明すると、ブリッジ接続カード３０は箱体１０の外部に設けられている。例えば、ブリッジ接続カード３０は、ホスト４０の背面に取り付けられている。ブリッジ接続カード３０は、ネットワークコネクタ３１と、穴３２とを有する。ネットワークコネクタ３１は、ネットワークケーブル２３３を受け入れるために設けられ、ケーブル２３５を介してネットワークセレクタ２３のネットワーク入力ポート２３１に電気的に接続されている。ネットワークセレクタ２３のネットワーク出力ポート２３２は、穴３２を通過するネットワークケーブル２３４を介してホスト４０のネットワークコネクタ４３に電気的に接続されている。
【００２３】
ホスト４０は、マザーボードと、電力供給源４４と、第１ハードディスク４５と、第２ハードディスク４６とを具備する。ハードディスク４５、４６は、それぞれ異なったオペレーティングシステムを有する。電力供給源４４は、マザーボードと、ハードディスクセレクタ２２の電力入力ポート２２２に電気的に接続され、動作電圧をこれらに供給する。マザーボードは、ネットワークコネクタ４３と、ハードディスク４５、４６に電気的に接続されている。
【００２４】
図５を参照して説明すると、図5は選択モジュールと操作パネル１３のスイッチの回路図である。本実施例において、操作パネルのスイッチは、第１ハードディスクスイッチ１４１と、第２ハードディスクスイッチ１４２と、第１ネットワークスイッチ１４３と、第２ネットワークスイッチ１４４と、第３ネットワークスイッチ１４５とを具備する。第２ハードディスクスイッチ１４２と第３ネットワークスイッチ１４５は、同期する一対のスイッチ１４０を成してもよい。同期する一対のスイッチ１４０とは、第２ハードディスクスイッチ１４２と第３ネットワークスイッチ１４５が共に、常に、同時にオン若しくはオフされることを意味する。ハードディスクセレクタ２２は、電力入力ポート２２５と、第１電力出力ポート２２６と、第２電力出力ポート２２７とを具備する。第１ハードディスクスイッチ１４１は、電力入力ポート２２５と第１電力出力ポート２２６との間に電気的に接続されている。第２ハードディスクスイッチ１４２は、電力入力ポート２２５と第２電力出力ポート２２７との間に電気的に接続されている。第１ネットワークスイッチ１４３は、ネットワークセレクタ２３のネットワーク入力ポート２３１とネットワーク出力ポート２３２との間に電気的に接続されている。第２ネットワークスイッチ１４４と第３ネットワークスイッチ１４５は直列に接続され、ネットワークセレクタ２３のネットワーク入力ポート２３１とネットワーク出力ポート２３２との間に電気的に接続されている。
【００２５】
本発明の第１実施例によると、使用者が利用できる複数のスイッチの組合せが可能である。ハードディスク４５，４６は、幾つかの場合に、インターネットに接続することができる。例えば、第１ハードディスクスイッチ１４１がオンで、第２ハードディスクスイッチ１４２がオフの場合、第１ハードディスク４５は電力入力ポート２２５と第１電力出力ポート２２６とを介して動作電圧を受けることができ、第１ハードディスク４５にインストールされているオペレーティングシステムを起動することができる。第２ハードディスクスイッチ１４２がオンで、第１ハードディスクスイッチ１４１がオフの場合、第２ハードディスク４６は電力入力ポート２２５と第２電力出力ポート２２７とを介して動作電圧を受けることができ、第２ハードディスク４６にインストールされているオペレーティングシステムを起動することができる。第１ネットワークスイッチ１４３がオン、或いは、第２ネットワークスイッチ１４４と第３ネットワークスイッチ１４５とが共にオンの場合のみ、ハードディスク４５，４６がインターネットに接続することができる。
【００２６】
図６及び図７を参照して説明すると、両図に本発明の第２実施例が図示されている。操作パネル１３に取り付けたスイッチ１４は、第１ハードディスクスイッチ１４１と、第２ハードディスクスイッチ１４２と、第３ハードディスクスイッチ１４６と、第４ハードディスクスイッチ１４７と、第５ハードディスクスイッチ１４８と、第６ハードディスクスイッチ１４９とを具備する。ハードディスクセレクタ２２は、第１電力出力ポート２２６と、第２電力出力ポート２２７と、第３電力出力ポート２２８と、第４電力出力ポート２２９とを有する。電力出力ポート２２６、２２７、２２８、２２９は、第１ハードディスク、第２ハードディスク、第３ハードディスク及び第４ハードディスクにそれぞれ接続されている。図８を参照して説明すると、箱体１０は、更に、操作パネル１３の前方に、操作パネル１３から離間した状態で配置された遮蔽体１５を具備する。遮蔽体１５には、スイッチ１４にそれぞれ対応する複数の穴１５０が設けられている。
【００２７】
第１ハードディスクスイッチ１４１は、電力入力ポート２２５と、第１電力出力ポート２２６や第２電力出力ポート２２７などの２つの電力出力ポートとの間に電気的に接続されている。第３ハードディスクスイッチ１４６は第１ハードディスクスイッチ１４１と第１電力出力ポート２２６との間に電気的に接続されている。第４ハードディスクスイッチ１４７は第１ハードディスクスイッチ１４１と第２電力出力ポート２２７との間に電気的に接続されている。第２ハードディスクスイッチ１４２は、電力入力ポート２２５と、第３電力出力ポート２２８や第４電力出力ポート２２９などの他の電力出力ポートとの間に電気的に接続されている。第５ハードディスクスイッチ１４８は、第２ハードディスクスイッチ１４２と第３電力出力ポート２２８との間に電気的に接続されている。第６ハードディスクスイッチ１４９は第２ハードディスクスイッチ１４２と第４電力出力ポート２２９との間に電気的に接続されている。
【００２８】
本発明の第２実施例によると、使用者が利用できる複数のスイッチの組合せが可能である。第１ハードディスクスイッチ１４１と第３ハードディスクスイッチ１４６とが共にオンで、第２ハードディスクスイッチ１４２と第４ハードディスクスイッチ１４７とが共にオフの場合、第１ハードディスクは第１電力出力ポート２２６から動作電圧を受けることができ、第１ハードディスクにインストールされているオペレーティングシステムを起動することができる。第１ハードディスクスイッチ１４１と第４ハードディスクスイッチ１４７とが共にオンで、第２ハードディスクスイッチ１４２と第３ハードディスクスイッチ１４６とが共にオフの場合、第２ハードディスクは第２電力出力ポート２２７から動作電圧を受けることができ、第２ハードディスクにインストールされているオペレーティングシステムを起動することができる。同様に、第２ハードディスクスイッチ１４２と第５ハードディスクスイッチ１４８とが共にオンである限り、第３ハードディスクにインストールされているオペレーティングシステムが作動する。第２ハードディスクスイッチ１４２と第６ハードディスクスイッチ１４９とが共にオンである限り、第４ハードディスクにインストールされているオペレーティングシステムが作動する。第１ネットワークスイッチ１４３がオン、或いは、第２ネットワークスイッチ１４４と第３ネットワークスイッチ１４５とが共にオンの場合のみ、４つのハードディスクをインターネットに接続することができる。
【００２９】
上述した実施例によると、ハードディスクの作動、及び、インターネットへの接続は、スイッチの特定の組合せの場合にのみ実行されるため、使用者はスイッチの特定の組合せを設定する際に、その設定により注意を払わなければならない。これによって、インターネットに接続されていないはずのマスターハードディスクがインターネットに接続される等の誤った操作を効果的に低減することができる。
図１を参照して説明すると、遮蔽体１５がスイッチ１４を覆っているため、対応するスイッチ１４を作動させるためには、使用者は、ペン等の棒状体５０を穴１５０に通してスイッチ１４を押さなければならない。このように、使用者はより多くの動作を伴いスイッチ１４を押すので、スイッチ１４の誤った組合せを効果的に低減することができる。更に、遮蔽体１５の構造は、本発明の実施例に記載されている構造に限定されない。例えば、スイッチへの不注意な接触を防止するという目的を同様に達成するために、スイッチを操作パネルに沈み込んだ状態で配置し、操作パネルに遮蔽体１５の機能をもたせてもよい。
【００３０】
本発明の装置は、パーソナルコンピュータのホストに限らず、ラップトップパソコンのホストにも適用することができる。そのようなラップトップパソコンは、ネットワークポートと、異なるオペレーティングシステムを有する複数のハードディスクを有する場合がある。本発明の回路は、ラップトップパソコンのハードディスクとネットワークポートに利用することができる。
【００３１】
以上、本発明の多数の特徴と技術的効果が記載してきたが、それらの記載は、本発明の詳細な構造技術的特徴と同様に、例示にすぎない。それらの詳細、特に形状、大きさ、部材の配置については、本発明の要旨を逸脱しない範囲で特許請求の範囲に用いられている用語の一般的な意味において変更できるものである。
【図１】
0003175049.tif 000003
【図２】
0003175049.tif 000004
【図３】
0003175049.tif 000005
【図４】
0003175049.tif 000006
【図５】
0003175049.tif 000007
【図６】
0003175049.tif 000008
【図７】
0003175049.tif 000009
【図８】
0003175049.tif 000010
【図９】
0003175049.tif 000011
【図１０】
0003175049.tif 000012